(57)【要約】      （修正有）【課題】液晶パネルの種別を自己識別することができる液晶表示装置等を提供する。【解決手段】第１液晶表示装置１０Ａは、液晶パネル１０と、液晶パネル１０の接続端子部１００、２００に接続されたフレキシブル配線基板２１、２２と、フレキシブル配線基板２１に接続された回路基板４０と、フレキシブル配線基板２１、２２に実装され、液晶パネル１０を駆動するドライバ（ソースドライバ３１、ゲートドライバ３２）と、ドライバに制御信号を出力するタイミングコントローラ５０とを備え、タイミングコントローラ５０は、回路基板４０から出力してフレキシブル配線基板２１及び接続端子部１００を経由して回路基板４０へと戻ってくる所定の信号が入力される入力端子５０ａを有する。【選択図】図２
2020056838.tif 000002
【特許請求の範囲】
【請求項１】
液晶パネルと、
前記液晶パネルの接続端子部に接続されたフレキシブル配線基板と、
前記フレキシブル配線基板に接続された回路基板と、
前記フレキシブル配線基板に実装され、前記液晶パネルを駆動するドライバと、
前記ドライバに制御信号を出力するタイミングコントローラとを備え、
前記タイミングコントローラは、前記回路基板から出力して前記フレキシブル配線基板及び前記接続端子部を経由して前記回路基板へと戻ってくる所定の信号が入力される入力端子を有する、
液晶表示装置。
【請求項２】
前記接続端子部には、前記フレキシブル配線基板を介して前記回路基板と電気的に接続される第１接続端子と、前記フレキシブル配線基板を介して前記回路基板と電気的に接続される第２接続端子と、前記フレキシブル配線基板を介して前記入力端子に接続される第３接続端子とが設けられており、
前記第３接続端子は、前記液晶パネルにおいて前記第１接続端子又は前記第２接続端子に連結されており、
前記所定の信号は、第１信号又は第２信号であり、
前記第１接続端子には、前記第１信号が入力され、
前記第２接続端子には、前記第２信号が入力され、
前記入力端子には、前記第３接続端子から出力される前記第１信号又は前記第２信号が入力される、
請求項１に記載の液晶表示装置。
【請求項３】
前記液晶パネルは、前記第３接続端子と前記第１接続端子又は前記第２接続端子とを連結する連結配線を有する、
請求項２に記載の液晶表示装置。
【請求項４】
前記第１接続端子及び前記第２接続端子のうち前記第３接続端子と連結されていない方の接続端子は、島状である、
請求項２又は３に記載の液晶表示装置。
【請求項５】
前記第３接続端子は、前記第１接続端子と前記第２接続端子との間に位置する、
請求項２〜４のいずれか１項に記載の液晶表示装置。
【請求項６】
前記ドライバは、ソースドライバであり、
前記接続端子部には、さらに、前記ソースドライバと電気的に接続されたソース接続端子が設けられている、
請求項２〜５のいずれか１項に記載の液晶表示装置。
【請求項７】
前記タイミングコントローラは、前記回路基板から出力して前記液晶パネルを経由して前記入力端子に入力される所定の信号によって前記液晶パネルの種別を識別する識別回路を有する、
請求項２〜６のいずれか１項に記載の液晶表示装置。
【請求項８】
前記識別回路は、前記回路基板から出力して前記第３接続端子を経由して前記入力端子に入力された前記所定の信号に基づいて前記第３接続端子が前記第１接続端子及び前記第２接続端子のどちらに接続されているかを判断することで前記液晶パネルの種別を識別する
請求項７に記載の液晶表示装置。
【請求項９】
第１補正データが記憶された第１テーブルと、前記第１補正データとは異なる第２補正データが記憶された第２テーブルとを有するメモリを備え、
前記タイミングコントローラは、
前記識別回路により前記第３接続端子が前記第１接続端子に接続されていると判断された場合、前記第１テーブルから前記第１補正データを読み出して、前記タイミングコントローラに入力される入力画像データに前記第１補正データが乗算された補正画像データを前記ソースドライバに出力し、
前記識別回路により前記第３接続端子が前記第２接続端子に接続されていると判断された場合、前記第２テーブルから前記第２補正データを読み出して、前記タイミングコントローラに入力される入力画像データに前記第２補正データが乗算された補正画像データを前記ソースドライバに出力する、
請求項８に記載の液晶表示装置。
【請求項１０】
前記液晶パネルの画素領域は、赤色用画素、緑色用画素及び青色用画素によって構成されており、
前記第１補正データは、前記赤色用画素、前記緑色用画素及び前記青色用画素の配列順序に従って設定されており、
前記第２補正データは、前記青色用画素、前記緑色用画素及び前記赤色用画素の配列順序に従って設定されている、
請求項９に記載の液晶表示装置。
【請求項１１】
前記メモリは、前記タイミングコントローラに内蔵されている、
請求項９又は１０に記載の液晶表示装置。
【請求項１２】
前記回路基板には、前記ドライバに供給する駆動電圧及びグランド電圧を生成する電源回路が実装されており、
前記第１信号は、前記駆動電圧であり、
前記第２信号は、前記グランド電圧である、
請求項２〜１１のいずれか１項に記載の液晶表示装置。
【請求項１３】
前記タイミングコントローラは、前記回路基板に実装されている、
請求項１〜１２のいずれか１項に記載の液晶表示装置。
【請求項１４】
液晶パネルと、
前記液晶パネルの接続端子部に接続されたフレキシブル配線基板と、
前記フレキシブル配線基板に接続された回路基板と、
前記フレキシブル配線基板に実装され、前記液晶パネルを駆動するドライバと、
前記ドライバに制御信号を出力するタイミングコントローラとを備え、
前記接続端子部には、前記液晶パネルの種別を識別するための識別信号を前記タイミングコントローラに出力する識別用接続端子が設けられている、
液晶表示装置。
【請求項１５】
薄膜トランジスタが形成された第１基板と前記第１基板に対向し且つカラーフィルタが形成された第２基板とを有するマザーパネルを切断することにより２つの液晶パネルを作製する工程と、
前記２つの液晶パネルの各々に、フレキシブル配線基板を介して回路基板を接続する工程と、
前記回路基板にタイミングコントローラを電気的に接続する工程とを含み、
前記マザーパネルは、当該マザーパネルの第１の辺と前記第１の辺に対向する第２の辺との各々に設けられた接続端子部を有し、
前記第１の辺及び前記第２の辺との各々における前記接続端子部には、
前記フレキシブル配線基板を介して前記回路基板と電気的に接続される第１接続端子と、前記フレキシブル配線基板を介して前記回路基板と電気的に接続される第２接続端子と、前記フレキシブル配線基板を介して前記タイミングコントローラと電気的に接続される第３接続端子とが設けられており、
前記２つの液晶パネルの一方において、前記第３接続端子は、前記第１接続端子に連結されており、
前記２つの液晶パネルの他方において、前記第３接続端子は、前記第２接続端子に連結されており、
前記マザーパネルを切断する工程では、前記マザーパネルの前記第１の辺と前記第２の辺との間の部分を切断し、
前記回路基板を接続する工程では、前記２つの液晶パネルの各々に同じ前記回路基板を接続し、
前記タイミングコントローラを接続する工程では、前記回路基板の各々に同じ前記タイミングコントローラを接続し、
前記タイミングコントローラは、前記第３接続端子が前記第１接続端子及び前記第２接続端子のどちらに接続されているかを判別することで液晶パネルの種類を識別する識別回路を有する、
液晶表示装置の製造方法。
【請求項１６】
複数の液晶表示装置によって構成された、液晶パネルの識別システムであって、
前記複数の液晶表示装置の各々は、
液晶パネルと、
前記液晶パネルの接続端子部に接続されたフレキシブル配線基板と、
前記フレキシブル配線基板に接続された回路基板と、
前記フレキシブル配線基板に実装され、前記液晶パネルを駆動するドライバと、
前記ドライバに制御信号を出力するタイミングコントローラとを備え、
前記接続端子部には、前記フレキシブル配線基板を介して前記回路基板と電気的に接続される第１接続端子と、前記フレキシブル配線基板を介して前記回路基板と電気的に接続される第２接続端子と、前記フレキシブル配線基板を介して前記タイミングコントローラと電気的に接続される第３接続端子とが設けられており、
前記第３接続端子は、前記液晶パネルで前記第１接続端子又は前記第２接続端子に連結されており、
前記複数の液晶表示装置のうちの一つにおける前記液晶パネルにおいて、前記第３接続端子は、前記第１接続端子に連結されており、
前記複数の液晶表示装置のうちの他の一における前記液晶パネルにおいて、前記第３接続端子は、前記第２接続端子に連結されている、
液晶パネルの識別システム。
【請求項１７】
液晶表示装置が有する液晶パネルの種別を識別する液晶パネルの識別方法であって、
前記液晶表示装置は、
液晶パネルと、
前記液晶パネルの接続端子部に接続されたフレキシブル配線基板と、
前記フレキシブル配線基板に接続された回路基板と、
前記フレキシブル配線基板に実装され、前記液晶パネルを駆動するドライバと、
前記ドライバに制御信号を出力するタイミングコントローラとを備え、
前記液晶表示装置は、前記回路基板から出力して前記液晶パネルを経由して前記タイミングコントローラに入力される所定の信号によって前記液晶パネルの種別を識別する、
液晶パネルの識別方法。
【発明の詳細な説明】
【技術分野】
【０００１】
本開示は、液晶表示装置、液晶表示装置の製造方法、液晶パネルの識別システム及び液晶パネルの識別方法に関する。
【背景技術】
【０００２】
液晶パネルは、薄型、軽量及び低消費電力等の優れた特徴を有するため、液晶パネルを有する液晶表示装置は、様々な用途に幅広く利用されている。例えば、液晶表示装置は、テレビ、モニタ及びタブレット端末等をはじめとして、鉄道等の公共空間又は商業施設の店頭等に設置されるデジタルサイネージ等にも利用されている（特許文献１参照）。
【先行技術文献】
【特許文献】
【０００３】
【特許文献１】国際公開第２０１１／１３５９７３号
【発明の概要】
【発明が解決しようとする課題】
【０００４】
デジタルサイネージ用の液晶表示装置に搭載される液晶パネルは、テレビ用又はモニタ用の液晶表示装置に搭載される液晶パネルと比べてアスペクト比が大きい。このようなデジタルサイネージ用の液晶表示装置に搭載される液晶パネルは、例えば、テレビ用又はモニタ用の液晶表示装置に搭載される液晶パネルを作製する際に用いられるマザーパネル（中板）を割断することで作製される。例えば、４７インチ用の液晶パネルをマザーパネルとして用いて、このマザーパネルを横半分に二分割することで、４７インチのハーフサイズの２つの液晶パネルを２面取りにより作製する。この場合、２面取りするためのマザーパネルのレイアウトとしては、４７インチのハーフサイズの２つの液晶パネルの一方を１８０°回転させた配置となる。
【０００５】
しかし、マザーパネルを割断して得られたハーフサイズの２つの液晶パネルは、カラーフィルタ基板が共通になっているため、１８０°回転させたレイアウトで２面取りされた２つの液晶パネルの一方と他方とでは、画素の配列が異なることになる。例えば、赤色用画素、緑色用画素及び青色用画素を有するマザーパネルを２分割する場合、赤色用画素、緑色用画素及び青色用画素のこの順序で配列（ＲＧＢ配列）された液晶パネルと、青色用画素、緑色用画素及び赤色用画素のこの順序で配列（ＢＧＲ配列）された液晶パネルとが存在することになる。このように、１８０°回転させたレイアウトの２つの液晶パネルを１つのマザーパネルを二分割して作製すると、仕様が異なる２種類の液晶パネルが作製されてしまう。
【０００６】
このため、タイミングコントローラ等が実装された回路基板をフレキシブル配線基板を介して液晶パネルに接続して液晶表示装置を作製する際に、仕様が異なる２種類の液晶パネルのタイミングコントローラのそれぞれについて専用のメモリが必要になる。つまり、液晶パネルの種類ごとに複数のメモリが必要になる。
【０００７】
この場合、液晶パネルの画素の配列に合わせてスキャン方向を「左→右」又は「右→左」に切り替える切替回路を実装することも可能であるが、この切替回路を実装するにあたり、ＲＧＢ配列の液晶パネルであるのか、ＢＧＲ配列の液晶パネルであるのかを予め把握しておくことが必要になる。つまり、液晶パネルの種別を予め識別しておくことが必要になる。
【０００８】
しかしながら、液晶パネルの種別を予め識別しておいて、フレキシブル配線基板及び回路基板を液晶パネルに接続して液晶表示装置を作製する方法では、表示パネルの種別ごとに、切替回路、タイミングコントローラ及びメモリ等の専用部品を実装することになるが、この場合、これの専用部品を誤って他の種別の表示パネルに実装されてしまって正しい映像が表示されない液晶表示装置が作製されてしまうというおそれがある。
【０００９】
また、液晶パネルの種別を予め識別しておいて、フレキシブル配線基板及び回路基板を液晶パネルに接続して液晶表示装置を作製する方法では、工程管理が複雑化したり製造設備のコストが高くなったりする。例えば、マザーパネルを２分割したときに２種類の液晶パネルを識別しておき、次工程までに２種類の液晶パネルを別々に保管したり２種類の液晶パネルを次工程の設備に投入したりすると、工程管理が複雑になる。また、２種類の液晶パネルを識別する設備を設置すると、製造設備のコストが高くなる。また、２種類の液晶パネルを作業者が識別することも考えられるが、作業が煩雑化したり、ヒューマンエラーが発生したりする。
【００１０】
本開示は、このような課題を解決するためのなされたものであり、液晶パネルの種別を液晶表示装置自身が識別することができる液晶表示装置等を提供することを目的とする。
【課題を解決するための手段】
【００１１】
上記目的を達成するために、本開示に係る液晶表示装置の一態様は、液晶パネルと、前記液晶パネルの接続端子部に接続されたフレキシブル配線基板と、前記フレキシブル配線基板に接続された回路基板と、前記フレキシブル配線基板に実装され、前記液晶パネルを駆動するドライバと、前記ドライバに制御信号を出力するタイミングコントローラとを備え、前記タイミングコントローラは、前記回路基板から出力して前記フレキシブル配線基板及び前記接続端子部を経由して前記回路基板へと戻ってくる所定の信号が入力される入力端子を有する。
【００１２】
また、本開示に係る液晶表示装置の他の一態様は、液晶パネルと、前記液晶パネルの接続端子部に接続されたフレキシブル配線基板と、前記フレキシブル配線基板に接続された回路基板と、前記フレキシブル配線基板に実装され、前記液晶パネルを駆動するドライバと、前記ドライバに制御信号を出力するタイミングコントローラとを備え、前記接続端子部には、前記液晶パネルの種別を識別するための識別信号を前記タイミングコントローラに出力する識別用接続端子が設けられている。
【００１３】
また、本開示に係る液晶表示装置の製造方法の一態様は、薄膜トランジスタが形成された第１基板と前記第１基板に対向し且つカラーフィルタが形成された第２基板とを有するマザーパネルを切断することにより２つの液晶パネルを作製する工程と、前記２つの液晶パネルの各々に、フレキシブル配線基板を介して回路基板を接続する工程と、前記回路基板にタイミングコントローラを電気的に接続する工程とを含み、前記マザーパネルは、当該マザーパネルの第１の辺と前記第１の辺に対向する第２の辺との各々に設けられた接続端子部を有し、前記第１の辺及び前記第２の辺との各々における前記接続端子部には、前記フレキシブル配線基板を介して前記回路基板と電気的に接続される第１接続端子と、前記フレキシブル配線基板を介して前記回路基板と電気的に接続される第２接続端子と、前記フレキシブル配線基板を介して前記タイミングコントローラと電気的に接続される第３接続端子とが設けられており、前記２つの液晶パネルの一方において、前記第３接続端子は、前記第１接続端子に連結されており、前記２つの液晶パネルの他方において、前記第３接続端子は、前記第２接続端子に連結されており、前記マザーパネルを切断する工程では、前記マザーパネルの前記第１の辺と前記第２の辺との間の部分を切断し、前記回路基板を接続する工程では、前記２つの液晶パネルの各々に同じ前記回路基板を接続し、前記
タイミングコントローラを接続する工程では、前記回路基板の各々に同じ前記タイミングコントローラを接続し、前記タイミングコントローラは、前記第３接続端子が前記第１接続端子及び前記第２接続端子のどちらに接続されているかを判別することで液晶パネルの種類を識別する識別回路を有する。
【００１４】
また、本開示に係る液晶パネル識別システムの一態様は、複数の液晶表示装置によって構成された、液晶パネルの識別システムであって、前記複数の液晶表示装置の各々は、液晶パネルと、前記液晶パネルの接続端子部に接続されたフレキシブル配線基板と、前記フレキシブル配線基板に接続された回路基板と、前記フレキシブル配線基板に実装され、前記液晶パネルを駆動するドライバと、前記ドライバに制御信号を出力するタイミングコントローラとを備え、前記接続端子部には、前記フレキシブル配線基板を介して前記回路基板と電気的に接続される第１接続端子と、前記フレキシブル配線基板を介して前記回路基板と電気的に接続される第２接続端子と、前記フレキシブル配線基板を介して前記タイミングコントローラと電気的に接続される第３接続端子とが設けられており、前記第３接続端子は、前記液晶パネルで前記第１接続端子又は前記第２接続端子に連結されており、前記複数の液晶表示装置のうちの一つにおける前記液晶パネルにおいて、前記第３接続端子は、前記第１接続端子に連結されており、前記複数の液晶表示装置のうちの他の一における前記液晶パネルにおいて、前記第３接続端子は、前記第２接続端子に連結されている。
【００１５】
また、本開示に係る液晶パネルの識別方法の一態様は、液晶表示装置が有する液晶パネルの種別を識別する液晶パネルの識別方法であって、前記液晶表示装置は、液晶パネルと、前記液晶パネルの接続端子部に接続されたフレキシブル配線基板と、前記フレキシブル配線基板に接続された回路基板と、前記フレキシブル配線基板に実装され、前記液晶パネルを駆動するドライバと、前記ドライバに制御信号を出力するタイミングコントローラとを備え、前記液晶表示装置は、前記回路基板から出力して前記液晶パネルを経由して前記タイミングコントローラに入力される所定の信号によって前記液晶パネルの種別を識別する。
【発明の効果】
【００１６】
本開示によれば、液晶表示装置自身によって液晶パネルの種別を識別することができる。
【図面の簡単な説明】
【００１７】
【図１】実施の形態に係る液晶パネル識別システムの構成を示す図である。
【図２】実施の形態に係る液晶パネル識別システムを構成する第１液晶表示装置及び第２液晶表示装置の概略構成を示す図である。
【図３Ａ】実施の形態に係る第１液晶表示装置に用いられる第１液晶パネルにおけるリターン用接続端子部の周辺構造を示す拡大平面図である。
【図３Ｂ】実施の形態に係る第２液晶表示装置に用いられる第２液晶パネルにおけるリターン用接続端子部の周辺構造を示す拡大平面図である。
【図４】実施の形態における液晶表示装置の製造方法において、マザーパネルを作製する工程を説明するための図である。
【図５】実施の形態における液晶表示装置の製造方法において、マザーパネルを切断する工程を説明するための図である。
【図６】実施の形態における液晶表示装置の製造方法において、マザーパネルを切断することにより得られた２つの液晶パネルの一方を反転させたときの工程を説明するための図である。
【図７】実施の形態における液晶表示装置の製造方法において、２つの液晶パネルのそれぞれにフレキシブル配線基板と回路基板とを接続する工程を説明するための図である。
【発明を実施するための形態】
【００１８】
以下、本開示の実施の形態について説明する。なお、以下に説明する実施の形態は、いずれも本開示の一具体例を示すものである。したがって、以下の実施の形態で示される、数値、構成要素、構成要素の配置位置及び接続形態、並びに、ステップ及びステップの順序等は、一例であって本開示を限定する主旨ではない。よって、以下の実施の形態における構成要素のうち、本開示の最上位概念を示す独立請求項に記載されていない構成要素については、任意の構成要素として説明される。
【００１９】
また、各図は、模式図であり、必ずしも厳密に図示されたものではない。したがって、各図において縮尺等は必ずしも一致していない。なお、各図において、実質的に同一の構成に対しては同一の符号を付しており、重複する説明は省略又は簡略化する。
【００２０】
（実施の形態）
図１は、実施の形態に係る液晶パネル識別システム１の構成を示す図である。図２は、実施の形態に係る液晶パネル識別システム１を構成する第１液晶表示装置１Ａ及び第２液晶表示装置１Ｂの概略構成を示す図である。
【００２１】
本実施の形態における液晶パネル識別システム１は、複数の液晶表示装置によって構成されている。具体的には、図１に示すように、液晶パネル識別システム１は、第１液晶表示装置１Ａと第２液晶表示装置１Ｂとの２種類の液晶表示装置によって構成されている。詳細は後述するが、本実施の形態において、第１液晶表示装置１Ａと第２液晶表示装置１Ｂとは、液晶パネル１０の画素の配列順序が異なる。
【００２２】
図１及び図２に示すように、第１液晶表示装置１Ａ及び第２液晶表示装置１Ｂの各々は、液晶パネル１０と、液晶パネル１０の接続端子部１００に接続されたフレキシブル配線基板２１と、液晶パネル１０の接続端子部２００に接続されたフレキシブル配線基板２２と、液晶パネル１０を駆動するドライバとして設けられたソースドライバ３１及びゲートドライバ３２と、フレキシブル配線基板２１に接続された回路基板４０とを備える。
【００２３】
また、図２に示すように、第１液晶表示装置１Ａ及び第２液晶表示装置１Ｂの各々は、さらに、ソースドライバ３１及びゲートドライバ３２に制御信号を出力するタイミングコントローラ５０と、ソースドライバ３１、ゲートドライバ３２及び液晶パネル１０に供給する各種制御電圧を生成する電源回路６０と、タイミングコントローラ５０に画像データを出力する画像処理回路７０とを備える。
【００２４】
本実施の形態において、タイミングコントローラ５０及び電源回路６０は、回路基板４０に実装されている。回路基板４０は、略矩形板状のプリント基板（ＰＣＢ；Ｐｒｉｎｔｅｄ  Ｃｉｒｃｕｉｔ  Ｂｏａｒｄ）であり、回路基板４０には、タイミングコントローラ５０及び電源回路６０等を構成する複数の電子部品が実装されている。回路基板４０は、タイミングコントローラ５０から出力された各種信号及び電源回路６０から出力される各種電圧を、ソースドライバ３１、ゲートドライバ３２及び液晶パネル１０に伝達する機能を有する。
【００２５】
画像処理回路７０は、外部のシステム（図示せず）から送信された入力映像信号を受信し、画像処理を実行した後、タイミングコントローラ５０に画像データを出力する。なお、画像処理回路７０は、回路基板４０に実装されていないが、回路基板４０に実装されていてもよい。
【００２６】
以下、第１液晶表示装置１Ａ及び第２液晶表示装置１Ｂを構成する各種部材について、
詳細に説明する。
【００２７】
液晶パネル１０は、映像を表示するための表示パネルである。液晶パネル１０は、一対の透明基板間に液晶層が設けられた液晶セルと、液晶セルを挟む一対の偏光板とを含む。一対の透明基板の一方は、薄膜トランジスタ（ＴＦＴ：Ｔｈｉｎ  Ｆｉｌｍ  Ｔｒａｎｓｉｓｔｏｒ）及び配線等が形成されたＴＦＴ基板１１であり、一対の透明基板の他方は、Ｒ（赤）、Ｇ（緑）及びＢ（青）の各々のカラーフィルタ（ＣＦ）が形成されたＣＦ基板１２である。液晶パネル１０の駆動方式は、例えばＩＰＳ（Ｉｎ  Ｐｌａｎｅ  Ｓｗｉｔｃｈｉｎｇ）方式又はＦＦＳ（Ｆｒｉｎｇｅ  Ｆｉｅｌｄ  Ｓｗｉｔｃｈｉｎｇ）方式等の横電界方式であるが、ＶＡ（Ｖｅｒｔｉｃａｌ  Ａｌｉｇｎｍｅｎｔ）方式又はＴＮ（Ｔｗｉｓｔｅｄ  Ｎｅｍａｔｉｃ）方式等であってもよい。
【００２８】
図１に示すように、液晶パネル１０は、マトリクス状に配列された複数の画素によって構成された画素領域１０ａと画素領域１０ａを囲む額縁領域１０ｂとを有する。画素領域１０ａは、静止画像及び動画像等の映像が表示される表示領域である。額縁領域１０ｂは、液晶パネル１０の周辺領域であって、画素領域１０ａの外側に位置する領域である。本実施の形態において、液晶パネル１０の平面視形状は、矩形状である。したがって、画素領域１０ａの形状は、矩形状であり、額縁領域１０ｂの形状は、矩形枠状である。
【００２９】
第１液晶表示装置１Ａは、液晶パネル１０として第１液晶パネル１０Ａを有する。また、第２液晶表示装置１Ｂは、液晶パネル１０として第２液晶パネル１０Ｂを有する。第１液晶パネル１０Ａと第２液晶パネル１０Ｂとにおいては、いずれも画素領域１０ａが、赤色用画素ＰＸＲ、緑色用画素ＰＸＧ及び青色用画素ＰＸＢによって構成されているが、第１液晶パネル１０Ａと第２液晶パネル１０Ｂとでは、赤色用画素ＰＸＲ、緑色用画素ＰＸＧ及び青色用画素ＰＸＢの配列順序が異なる。具体的には、第１液晶パネル１０Ａでは、赤色用画素ＰＸＲ、緑色用画素ＰＸＧ及び青色用画素ＰＸＢが画素の行方向に沿ってこの順序で配列（ＲＧＢ配列）されている。一方、第２液晶パネル１０Ｂでは、青色用画素ＰＸＢ、緑色用画素ＰＸＧ及び赤色用画素ＰＸＲが画素の行方向に沿ってこの順序で配列（ＢＧＲ配列）されている。
【００３０】
なお、本実施の形態において、赤色用画素ＰＸＲ、緑色用画素ＰＸＧ及び青色用画素ＰＸＢの各画素は、途中で折れ曲がった左右非対称な形状であり、第１液晶パネル１０Ａと第２液晶パネル１０Ｂとでは、赤色用画素ＰＸＲ、緑色用画素ＰＸＧ及び青色用画素ＰＸＢの各画素の形状が行方向で反転した形状になっている。また、第１液晶パネル１０Ａ及び第２液晶パネル１０Ｂにおいて、赤色用画素ＰＸＲ、緑色用画素ＰＸＧ及び青色用画素ＰＸＢの各画素は、ブラックマトリクスＢＭで囲まれている。
【００３１】
図示しないが、液晶パネル１０の画素領域１０ａには、画素の列方向に沿って設けられた複数のソース線（データ線）と、複数のソース線と交差するように画素の行方向に沿って設けられた複数のゲート線とが設けられている。
【００３２】
液晶パネル１０は、第１接続端子部として複数の接続端子部１００を有する。具体的には、図１に示すように、液晶パネル１０は、６個の接続端子部１００を有する。各接続端子部１００は、画素領域１０ａ内の複数のソース線の各々に接続された複数のソース接続端子（ソース端子電極）等を含む複数の接続端子が設けられたソース接続端子領域である。図２に示すように、各接続端子部１００は、液晶パネル１０のＴＦＴ基板１１における額縁領域１０ｂの長辺部分に設けられている。
【００３３】
６個の接続端子部１００の各々には、第１フレキシブル配線基板としてフレキシブル配線基板２１が接続される。つまり、液晶パネル１０には、６個のフレキシブル配線基板２
１が接続されている。
【００３４】
フレキシブル配線基板２１は、ＦＦＣ（Ｆｌｅｘｉｂｌｅ  Ｆｌａｔ  Ｃａｂｌｅ）又はＦＰＣ（Ｆｌｅｘｉｂｌｅ  Ｐｒｉｎｔｅｄ  Ｃａｂｌｅ）等のフレキシブル基板に複数のパターン配線が形成されたものである。本実施の形態において、フレキシブル配線基板２１には、ソースドライバ３１が実装されている。ソースドライバ３１は、ＩＣチップによって構成されたソースドライバＩＣである。つまり、フレキシブル配線基板２１は、パターン配線が形成されたフレキシブル基板にソースドライバ３１が実装されたＣＯＦ（Ｃｈｉｐ  Ｏｎ  Ｆｉｌｍ）である。このように構成されたフレキシブル配線基板２１の一端部は、例えばＡＣＦ（Ａｎｉｓｏｔｒｏｐｉｃ  Ｃｏｎｄｕｃｔｉｖｅ  Ｆｉｌｍ）圧着により接続端子部１００に接続される。これにより、接続端子部１００におけるソース接続端子１１０とソースドライバ３１とが電気的に接続される。なお、フレキシブル配線基板２１の他端部は、回路基板４０に接続されている。
【００３５】
ソースドライバ３１は、タイミングコントローラ５０から供給される各画素の階調値を表す映像信号Ｓ１に応じた電圧をデータ信号Ｓ２として画素領域１０ａの各ソース線に供給する。具体的には、図２に示すように、タイミングコントローラ５０の制御回路５１で生成された映像信号Ｓ１がソースドライバ３１に供給されると、ソースドライバ３１は、この映像信号Ｓ１に応じた電圧をもとにして、ゲートドライバ３２によって選択されたゲート線に接続されるＴＦＴのそれぞれに供給するデータ信号Ｓ２を生成する。ソースドライバ３１で生成されたデータ信号Ｓ２は、接続端子部１００を経由して画素領域１０ａ内の各ソース線に供給される。これにより、選択されたゲート線に対応する画素にデータ信号Ｓ２が書き込まれる。
【００３６】
図２に示すように、本実施の形態では、複数の接続端子部１００の中には、液晶パネル１０に供給された所定の信号をタイミングコントローラ５０に戻す機能を含むリターン用接続端子部１０１が含まれる。詳細は後述するが、リターン用接続端子部１０１は、液晶パネル１０の自他の種別を識別するための識別用接続端子部であり、リターン用接続端子部１０１には、ソース接続端子１１０以外に、液晶パネル１０の種別を識別するための識別信号をタイミングコントローラ５０に出力する識別用接続端子が含まれる。
【００３７】
さらに、複数の接続端子部１００の中には、タイミングコントローラ５０からゲートドライバ３２に供給されるタイミング信号Ｇ１を中継する機能を含む中継用接続端子部１０２も含まれる。この中継用接続端子部１０２には、ソース接続端子１１０以外に、タイミングコントローラ５０からフレキシブル配線基板２２を経由して液晶パネル１０に供給されるタイミング信号Ｇ１が入力される中継用接続端子が含まれる。
【００３８】
また、液晶パネル１０は、第２接続端子部として複数の接続端子部２００を有する。接続端子部２００は、複数のゲート線の各々に接続された複数のゲート接続端子（ゲート端子電極）等を含む複数の接続端子が設けられたゲート接続端子領域である。図２に示すように、接続端子部２００は、液晶パネル１０のＴＦＴ基板１１における額縁領域１０ｂの短辺部分に設けられている。
【００３９】
接続端子部２００には、第２フレキシブル配線基板としてフレキシブル配線基板２２が接続される。フレキシブル配線基板２２は、フレキシブル配線基板２１と同様に、ＦＦＣ又はＦＰＣ等のフレキシブル基板に複数のパターン配線が形成されたものである。本実施の形態において、フレキシブル配線基板２２には、ゲートドライバ３２が実装されている。ゲートドライバ３２は、ＩＣチップによって構成されたゲートドライバＩＣである。つまり、フレキシブル配線基板２２は、パターン配線が形成されたフレキシブル基板にゲートドライバ３２が実装されたＣＯＦである。このように構成されたフレキシブル配線基板
２２は、例えばＡＣＦ圧着により接続端子部２００に接続される。これにより、接続端子部２００におけるゲート接続端子とゲートドライバ３２とが電気的に接続される。
【００４０】
ゲートドライバ３２は、タイミングコントローラ５０から供給されるタイミング信号Ｇ１に応じた電圧をゲート信号Ｇ２として画素領域１０ａの各ゲート線に供給する。具体的には、図２に示すように、タイミングコントローラ５０の制御回路５１で生成されたタイミング信号Ｇ１がフレキシブル配線基板２１及び接続端子部１００を経由してゲートドライバ３２に供給されると、ゲートドライバ３２は、このタイミング信号Ｇ１に応じてデータ信号Ｓ２を書き込む画素のＴＦＴをオンする電圧（ゲートオン電圧）としてゲート信号Ｇ２を生成する。ゲートドライバ３２で生成されたゲート信号Ｇ２は、接続端子部２００を経由してゲート線に供給される。
【００４１】
タイミングコントローラ５０は、制御回路５１と、メモリ５２と、識別回路５３とを有する。一例として、タイミングコントローラ５０は、ＩＣチップによって構成されている。
【００４２】
制御回路５１は、メモリ５２に記憶された補正データを読み出して、この補正データをもとに画像処理回路７０からの画像データに対して色調整等の各種の画像信号処理を行って、制御信号として各画素の階調値を示す映像信号Ｓ１及びタイミング信号Ｇ１を生成する。制御回路５１で生成された映像信号Ｓ１及びタイミング信号Ｇ１は、出力端子５０ｂから出力される。具体的には、タイミングコントローラ５０から出力された映像信号Ｓ１は、ソースドライバ３１に供給される。また、タイミングコントローラ５０から出力されたタイミング信号Ｇ１は、ゲートドライバ３２に供給される。なお、制御回路５１は、例えば、ＣＰＵ等の演算処理回路によって構成されている。
【００４３】
メモリ５２は、補正データを記憶するＲＯＭ等の記憶装置である。例えば、メモリ５２には、ガンマ補正を行うための補正データ（ガンマ補正用データ）が記憶されている。本実施の形態において、メモリ５２は、第１液晶パネル１０Ａに対応する第１補正データが記憶された第１テーブル５２ａと、第２液晶パネル１０Ｂに対応する第２補正データが記憶された第２テーブル５２ｂとを有する。
【００４４】
第１テーブル５２ａの第１補正データと第２テーブル５２ｂの第２補正データとは異なるガンマ補正用データである。本実施の形態において、第１テーブル５２ａの第１補正データは、第１液晶パネル１０Ａの画素配列に従って設定されている。また、第２テーブル５２ｂの第２補正データは、第２液晶パネル１０Ｂの画素配列に従って設定されている。具体的には、第１補正データは、赤色用画素ＰＸＲ、緑色用画素ＰＸＧ及び青色用画素ＰＸＢの配列順序に従って設定されている。一方、第２補正データは、青色用画素ＰＸＢ、緑色用画素ＰＸＧ及び赤色用画素ＰＸＲの配列順序に従って設定されている。なお、第１液晶パネル１０Ａと第２液晶パネル１０Ｂとにおいて、ガンマカーブそのものは互いに同じである。
【００４５】
識別回路５３は、液晶パネル１０の自他の種別を識別するための回路である。具体的には、識別回路５３は、回路基板４０から出力して液晶パネル１０を経由してタイミングコントローラ５０に入力される所定の信号によって液晶パネル１０の種別を識別する。
【００４６】
このように構成されるタイミングコントローラ５０は、タイミングコントローラ５０に信号（電圧）が入力される入力端子５０ａを有する。
【００４７】
入力端子５０ａには、回路基板４０から出力してフレキシブル配線基板２１及びリターン用接続端子部１０１を経由して回路基板４０へと戻ってくる所定の信号が入力される。
本実施の形態において、所定の信号は、駆動電圧ＶＣＣ（第１信号）又はグランド電圧ＶＧ（第２信号）である。上述のように、駆動電圧ＶＣＣ及びグランド電圧ＶＧは、回路基板４０に実装された電源回路６０で生成され、フレキシブル配線基板２１を経由して回路基板４０から液晶パネル１０に向けて出力される。したがって、入力端子５０ａには、回路基板４０から出力してフレキシブル配線基板２１及びリターン用接続端子部１０１（液晶パネル１０）を経由して回路基板４０へと戻ってくる駆動電圧ＶＣＣ又はグランド電圧ＶＧが入力される。なお、入力端子５０ａに入力された信号は、識別回路５３に向けて出力される。
【００４８】
また、タイミングコントローラ５０は、信号（電圧）を出力する出力端子５０ｂを有する。出力端子５０ｂからは、制御回路５１で生成された映像信号Ｓ１及びタイミング信号Ｇ１が出力される。
【００４９】
電源回路６０は、各種制御電圧を生成する。具体的には、電源回路６０は、制御電圧として、ソースドライバ３１、ゲートドライバ３２及び液晶パネル１０に供給する駆動電圧ＶＣＣ及びグランド電圧ＶＧ（回路グランド）を生成する。一例として、駆動電圧ＶＣＣは３．３Ｖであり、グランド電圧ＶＧは０Ｖである。電源回路６０で生成された駆動電圧ＶＣＣ及びグランド電圧ＶＧは、フレキシブル配線基板２１を介して、ソースドライバ３１、ゲートドライバ３２及び液晶パネル１０に供給される。
【００５０】
次に、本実施の形態に係る液晶パネル識別システム１において、液晶パネル１０の種別を識別する液晶パネル１０の識別方法の具体例について説明する。
【００５１】
本実施の形態において、第１液晶表示装置１Ａ及び第２液晶表示装置１Ｂの各々は、回路基板４０から出力して液晶パネル１０を経由してタイミングコントローラ５０に入力される所定の信号によって液晶パネル１０の種別を識別する。
【００５２】
具体的には、複数の接続端子部１００の中のリターン用接続端子部１０１を利用して、液晶パネル１０の種別を識別する。以下、図２を参照しつつ、図３Ａ及び図３Ｂを用いて、リターン用接続端子部１０１の具体的の構成について説明する。図３Ａは、第１液晶表示装置１Ａに用いられる第１液晶パネル１０Ａにおけるリターン用接続端子部１０１の周辺構造を示す拡大平面図である。図３Ｂは、第２液晶表示装置１Ｂに用いられる第２液晶パネル１０Ｂにおけるリターン用接続端子部１０１の周辺構造を示す拡大平面図である。
【００５３】
図３Ａ及び図３Ｂに示すように、第１液晶パネル１０Ａ及び第２液晶パネル１０Ｂの各々において、リターン用接続端子部１０１には、複数の接続端子として、複数のソース接続端子１１０と、第１接続端子１２１と、第２接続端子１２２と、第３接続端子１２３と、連結配線１２４とが設けられている。
【００５４】
第１接続端子１２１、第２接続端子１２２及び第３接続端子１２３は、液晶パネル１０の端縁から画素領域１０ａに向かう方向に沿って長尺矩形状の配線パターンであり、互いに平行に配置されている。本実施の形態において、第３接続端子１２３は、第１接続端子１２１と第２接続端子１２２との間に位置している。
【００５５】
第１接続端子１２１、第２接続端子１２２及び第３接続端子１２３の各々は、フレキシブル配線基板２１を介して回路基板４０と電気的に接続される。具体的には、フレキシブル配線基板２１の一端部が液晶パネル１０のリターン用接続端子部１０１に接続されるとともにフレキシブル配線基板２１の他端部が回路基板４０に接続されることで、第１接続端子１２１、第２接続端子１２２及び第３接続端子１２３の各々が回路基板４０と電気的に接続される。
【００５６】
具体的には、第１接続端子１２１及び第２接続端子１２２は、回路基板４０に実装された電源回路６０と電気的に接続されており、第１接続端子１２１及び第２接続端子１２２には、電源回路６０で生成された制御電圧が入力する。本実施の形態において、第１接続端子１２１には、第１信号として駆動電圧ＶＣＣが入力される。また、第２接続端子１２２には、第２信号としてグランド電圧ＶＧが入力される。
【００５７】
第３接続端子１２３は、フレキシブル配線基板２１を介してタイミングコントローラ５０の入力端子５０ａに接続されている。また、第３接続端子１２３は、液晶パネル１０において第１接続端子１２１又は第２接続端子１２２に連結されている。したがって、第１接続端子１２１に入力された駆動電圧ＶＣＣ又は第２接続端子１２２に入力されたグランド電圧ＶＧは、第３接続端子１２３を経由して入力端子５０ａに向けて出力される。つまり、入力端子５０ａには、第３接続端子１２３から出力される駆動電圧ＶＣＣ（第１信号）又はグランド電圧ＶＧ（第２信号）が入力される。
【００５８】
第３接続端子１２３は、連結配線１２４によって第１接続端子１２１又は第２接続端子１２２に連結されている。連結配線１２４は、第３接続端子１２３と第１接続端子１２１又は第２接続端子１２２とを連結するための配線パターンであり、本実施の形態では、第３接続端子１２３と直交する方向に延在している。
【００５９】
なお、第１接続端子１２１及び第２接続端子１２２のうち第３接続端子１２３と連結されていない方の接続端子は、島状である。つまり、第１接続端子１２１及び第２接続端子１２２のうち第３接続端子１２３と連結されていない接続端子における画素領域１０ａ側の先端部は、液晶パネル１０において行き止まりになっている。
【００６０】
本実施の形態では、図３Ａに示すように、第１液晶パネル１０Ａについては、連結配線１２４によって第３接続端子１２３が第１接続端子１２１に連結されている。これにより、回路基板４０から出力されて第１接続端子１２１に入力された駆動電圧ＶＣＣは、第３接続端子１２３を経由して回路基板４０に戻ってタイミングコントローラ５０に入力端子５０ａに入力されることになる。
【００６１】
また、第１液晶パネル１０Ａにおいて、第２接続端子１２２は、島状である。したがって、回路基板４０から第２接続端子１２２にグランド電圧ＶＧが入力されるが、このグランド電圧ＶＧは、回路基板４０には戻らない。
【００６２】
一方、図３Ｂに示すように、第２液晶パネル１０Ｂについては、連結配線１２４によって第３接続端子１２３が第２接続端子１２２に連結されている。これにより、回路基板４０から出力されて第２接続端子１２２に入力されたグランド電圧ＶＧは、第３接続端子１２３を経由して回路基板４０に戻ってタイミングコントローラ５０に入力端子５０ａに入力されることになる。
【００６３】
また、第２液晶パネル１０Ｂにおいて、第１接続端子１２１は、島状である。したがって、回路基板４０から第１接続端子１２１に駆動電圧ＶＣＣが入力されるが、この駆動電圧ＶＣＣは、回路基板４０には戻らない。
【００６４】
このように、画素配列の異なる第１液晶パネル１０Ａと第２液晶パネル１０Ｂとでは、第３接続端子１２３が連結する接続端子が異なっている。これにより、タイミングコントローラ５０の入力端子５０ａには、第３接続端子１２３が第１接続端子１２１に連結されているか第２接続端子１２２に連結されているかによって、所定の信号として駆動電圧ＶＣＣ又はグランド電圧ＶＧが入力されることになる。つまり、液晶パネル１０の種類に応じて入力端子５０ａに入力される信号が決定される。
【００６５】
そして、入力端子５０ａに入力された信号（駆動電圧ＶＣＣ又はグランド電圧ＶＧ）は、識別回路５３に入力される。識別回路５３では、第３接続端子１２３から入力端子５０ａに入力された信号に基づいて液晶パネル１０の種別が識別される。具体的には、識別回路５３は、入力端子５０ａに入力された信号に基づいて第３接続端子１２３が第１接続端子１２１及び第２接続端子１２２のどちらに接続されているかを判断することで液晶パネル１０の種別を識別する。
【００６６】
例えば、入力端子５０ａに入力された信号が駆動電圧ＶＣＣである場合、識別回路５３は、第３接続端子１２３が第１接続端子１２１に接続されていると判断し、このタイミングコントローラ５０が実装された回路基板４０に接続されている液晶パネル１０が第１液晶パネル１０Ａであると判断する。
【００６７】
このとき、識別回路５３により第３接続端子１２３が第１接続端子１２１に接続されていると判断された場合、タイミングコントローラ５０の制御回路５１は、メモリ５２の第１テーブル５２ａから第１液晶パネル１０Ａに対応する第１補正データを読み出して、画像処理回路７０からタイミングコントローラ５０に入力される入力画像データに第１補正データが乗算された補正画像データを映像信号Ｓ１としてソースドライバ３１に出力する。これにより、第１液晶パネル１０Ａに対応する映像が第１液晶パネル１０Ａの画素領域１０ａに表示される。
【００６８】
一方、入力端子５０ａに入力された信号がグランド電圧ＶＧである場合、識別回路５３は、第３接続端子１２３が第２接続端子１２２に接続されていると判断し、このタイミングコントローラ５０が実装された回路基板４０に接続されている液晶パネル１０が第２液晶パネル１０Ｂであると判断する。
【００６９】
このとき、識別回路５３により第３接続端子１２３が第２接続端子１２２に接続されていると判断された場合、タイミングコントローラ５０の制御回路５１は、メモリ５２の第２テーブル５２ｂから第２補正データを読み出して、画像処理回路７０からタイミングコントローラ５０に入力される入力画像データに第２補正データが乗算された補正画像データを映像信号Ｓ１としてソースドライバ３１に出力する。これにより、第２液晶パネル１０Ｂに対応する映像が第２液晶パネル１０Ｂの画素領域１０ａに表示される。
【００７０】
以上説明したように、本実施の形態に係る第１液晶表示装置１Ａ及び第２液晶表示装置１Ｂの各々は、液晶パネル１０と、液晶パネル１０の接続端子部１００に接続されたフレキシブル配線基板２１と、フレキシブル配線基板２１に接続された回路基板４０と、フレキシブル配線基板２１に実装されたソースドライバ３１と、ソースドライバ３１に制御信号を出力するタイミングコントローラ５０とを備え、タイミングコントローラ５０は、回路基板４０から出力してフレキシブル配線基板２１及び接続端子部１００を経由して回路基板４０へと戻ってくる所定の信号が入力される入力端子５０ａを有する。
【００７１】
この構成により、第１液晶表示装置１Ａ及び第２液晶表示装置１Ｂの各々は、入力端子５０ａに戻ってくる所定の信号をもとに、装置自身によって液晶パネル１０の種別を識別することができる。つまり、第１液晶表示装置１Ａ及び第２液晶表示装置１Ｂの各々は、入力端子５０ａに戻ってくる所定の信号を検知することで、自機に搭載される液晶パネル１０が第１液晶パネル１０Ａであるか第２液晶パネル１０Ｂであるかを自動で自己識別することができる。したがって、第１液晶表示装置１Ａ及び第２液晶表示装置１Ｂを製造する際に予め液晶パネル１０の種別を識別しておく必要がないので、工程管理が複雑化したり製造設備のコストが高くなったりすることを抑制できる。
【００７２】
また、本実施の形態では、複数の接続端子部１００のうちのリターン用接続端子部１０１には、フレキシブル配線基板２１を介して回路基板４０と電気的に接続される第１接続端子１２１と、フレキシブル配線基板２１を介して回路基板４０と電気的に接続される第２接続端子１２２と、フレキシブル配線基板２１を介してタイミングコントローラ５０の入力端子５０ａに接続される第３接続端子１２３とが設けられている。そして、第３接続端子１２３は、液晶パネル１０において第１接続端子１２１又は第２接続端子１２２に連結されており、第１接続端子１２１には、所定の信号として第１信号が入力され、第２接続端子１２２には、所定の信号として第２信号が入力され、入力端子５０ａには、第３接続端子１２３から出力される第１信号又は第２信号が入力される。
【００７３】
この構成により、第３接続端子１２３から入力端子５０ａに第１信号が入力された場合には、第１接続端子１２１と第３接続端子１２３とが接続されていることが分かる。一方、第３接続端子１２３から入力端子５０ａに第２信号が入力された場合には、第２接続端子１２２と第３接続端子１２３とが接続されていることが分かる。これにより、第１液晶表示装置１Ａ及び第２液晶表示装置１Ｂの各々は、入力端子５０ａに入力される所定の信号が第１信号であるか第２信号であるかによって、液晶パネル１０の種別を装置自身で自己識別することができる。
【００７４】
このように、第３接続端子１２３は、液晶パネル１０の種別を識別するための識別信号（第１信号又は第２信号）をタイミングコントローラ５０に出力する識別用接続端子として機能する。したがって、第１液晶表示装置１Ａ及び第２液晶表示装置１Ｂの各々は、第３接続端子１２３から入力端子５０ａに向けて第１信号及び第２信号のいずれが出力されるかによって、自機に搭載される液晶パネル１０の種別を自己識別することができる。
【００７５】
また、本実施の形態において、液晶パネル１０は、第３接続端子１２３と第１接続端子１２１又は第２接続端子１２２とを連結する連結配線１２４を有する。
【００７６】
このように、液晶パネル１０に連結配線１２４を形成することによって、第３接続端子１２３と第１接続端子１２１又は第２接続端子１２２とを容易に連結することができる。
【００７７】
また、本実施の形態において、第１接続端子１２１及び第２接続端子１２２のうち第３接続端子１２３と連結されていない方の接続端子は、島状である。
【００７８】
この構成により、第１接続端子１２１、第２接続端子１２２及び第３接続端子１２３が形成された液晶パネル１０において、第３接続端子１２３を第１接続端子１２１に接続するか、第２接続端子１２２に接続するかによって、パネル識別用の第１信号又は第２信号を第３接続端子１２３を介して入力端子５０ａに容易にリターンさせることができる。
【００７９】
また、本実施の形態において、第３接続端子１２３は、第１接続端子１２１と第２接続端子１２２との間に位置する。
【００８０】
この構成により、第３接続端子１２３と第１接続端子１２１又は第２接続端子１２２をパターン配線等によって一続きで形成する際に、液晶パネル１０の種類ごとに第３接続端子１２３を第１接続端子１２１及び第２接続端子１２２のいずれか一方に容易に連結することができる。
【００８１】
また、本実施の形態において、第１接続端子１２１、第２接続端子１２２及び第３接続端子１２３が設けられた接続端子部１００には、さらに、ソースドライバ３１と電気的に接続されたソース接続端子１１０が設けられている。
【００８２】
この構成により、既存のソース接続端子部のスペース又は既存のソース接続端子部を利用して、第１接続端子１２１、第２接続端子１２２及び第３接続端子１２３を形成することができる。この場合、既存のソース接続端子部に余剰の接続端子があれば、この余剰の接続端子を利用して、第１接続端子１２１、第２接続端子１２２及び第３接続端子１２３を形成することができる。これにより、額縁領域１０ｂを大きくすることなく、第１接続端子１２１、第２接続端子１２２及び第３接続端子１２３を形成することができる。
【００８３】
また、本実施の形態において、タイミングコントローラ５０は、回路基板４０から出力して液晶パネル１０を経由して入力端子５０ａに入力される所定の信号によって液晶パネル１０の種別を識別する識別回路５３を有する。具体的には、識別回路５３は、回路基板４０から出力して第３接続端子１２３を経由して入力端子５０ａに入力された所定の信号に基づいて第３接続端子１２３が第１接続端子１２１及び第２接続端子１２２のどちらに接続されているかを判断することで液晶パネル１０の種別を識別する。
【００８４】
このような識別回路５３を設けることによって、第１液晶表示装置１Ａ及び第２液晶表示装置１Ｂの各々は、入力端子５０ａに戻ってくる所定の信号をもとに、自機に搭載される液晶パネル１０の種別を容易に自己識別することができる。
【００８５】
また、本実施の形態において、第１液晶表示装置１Ａ及び第２液晶表示装置１Ｂの各々は、第１補正データが記憶された第１テーブル５２ａと、第１補正データとは異なる第２補正データが記憶された第２テーブル５２ｂとを有するメモリ５２を備える。そして、タイミングコントローラ５０の制御回路５１は、（ｉ）識別回路５３により第３接続端子１２３が第１接続端子１２１に接続されていると判断された場合には、メモリ５２の第１テーブル５２ａから第１補正データを読み出して、タイミングコントローラ５０に入力される入力画像データに第１補正データが乗算された補正画像データを映像信号Ｓ１としてソースドライバ３１に出力し、（ｉｉ）識別回路５３により第３接続端子１２３が第２接続端子１２２に接続されていると判断された場合には、メモリ５２の第２テーブル５２ｂから第２補正データを読み出して、タイミングコントローラ５０に入力される入力画像データに第２補正データが乗算された補正画像データを映像信号Ｓ１としてソースドライバ３１に出力する。
【００８６】
この構成により、第１液晶表示装置１Ａ及び第２液晶表示装置１Ｂは、同じメモリ５２及び同じタイミングコントローラ５０を有するだけで、自機に搭載される液晶パネル１０が、第１液晶パネル１０Ａであるか第２液晶パネル１０Ｂであるかを自動で自己識別することができる。これにより、第１液晶表示装置１Ａ及び第２液晶表示装置１Ｂは、自機に搭載される液晶パネル１０の仕様に応じた補正データを自動で選択して、補正画像データをソースドライバ３１に出力することができる。また、第１液晶表示装置１Ａ及び第２液晶表示装置１Ｂが仕様の異なる液晶パネル１０を有していても、第１液晶表示装置１Ａ及び第２液晶表示装置１Ｂを同じ製造方法で製造することができる。つまり、製造時に液晶パネル１０の種別を識別することなく、第１液晶表示装置１Ａ及び第２液晶表示装置１Ｂを製造することができる。また、メモリ５２及びタイミングコントローラ５０を１種類にすることができるので、液晶パネル１０の種別ごとに異なるメモリ及びタイミングコントローラを別途設ける必要がなくなる。
【００８７】
また、本実施の形態において、メモリ５２は、タイミングコントローラ５０に内蔵されている。
【００８８】
この構成により、第１液晶表示装置１Ａ及び第２液晶表示装置１Ｂに、同じタイミングコントローラ５０を組み込むだけで、自機に搭載される液晶パネル１０が、第１液晶パネル１０Ａであるか第２液晶パネル１０Ｂであるかを自動で自己識別することができる。ま
た、１種類のタイミングコントローラ５０によって、仕様の異なる２種類の液晶パネル１０に対応させることができる。さらに、タイミングコントローラ５０に内蔵されたメモリ５２を利用することで、別途メモリを設けることなく、２種類の液晶パネル１０に対応する２種類の補正データを１つのタイミングコントローラ５０に格納することができる。
【００８９】
また、本実施の形態において、第１液晶表示装置１Ａ及び第２液晶表示装置１Ｂの各々が有する液晶パネル１０の画素領域１０ａは、いずれも、赤色用画素ＰＸＲ、緑色用画素ＰＸＧ及び青色用画素ＰＸＢによって構成されている。そして、メモリ５２の第１テーブル５２ａに記憶された第１補正データは、赤色用画素ＰＸＲ、緑色用画素ＰＸＧ及び青色用画素ＰＸＢの配列順序に従って設定されており、メモリ５２の第２テーブル５２ｂに記憶された第２補正データは、青色用画素ＰＸＢ、緑色用画素ＰＸＧ及び赤色用画素ＰＸＲの配列順序に従って設定されている。
【００９０】
この構成により、第１液晶表示装置１Ａ及び第２液晶表示装置１Ｂの各々が有する液晶パネル１０の画素の配列が、赤色用画素ＰＸＲ、緑色用画素ＰＸＧ及び青色用画素ＰＸＢの配列（ＲＧＢ配列）であるか、色用画素ＰＸＢ、緑色用画素ＰＸＧ及び赤色用画素ＰＸＲの配列（ＢＧＲ配列）であるかによって液晶パネル１０の種別を自動で識別し、メモリ５２から液晶パネル１０の仕様に応じた補正データを自動で取得して補正画像データをソースドライバ３１に出力することができる。
【００９１】
また、本実施の形態では、液晶パネル１０の種別を識別するための識別信号（第１信号又は第２信号）として、電源回路６０が生成する駆動電圧ＶＣＣ及びグランド電圧ＶＧを用いている。
【００９２】
駆動電圧ＶＣＣ及びグランド電圧ＶＧは、液晶パネル１０の種別を識別しない場合であっても、ソースドライバ３１及びゲートドライバ３２に供給するために電源回路６０で生成される。したがって、電源回路６０で生成された駆動電圧ＶＣＣ及びグランド電圧ＶＧを用いて液晶パネル１０の種別を識別することで、識別信号を生成するための専用回路を別途設けることなく、第１液晶表示装置１Ａ及び第２液晶表示装置１Ｂの各々は、自機に搭載される液晶パネル１０の種別を自動で自己識別することができる。
【００９３】
次に、本実施の形態における液晶表示装置の製造方法について、図４〜図７を用いて説明する。図４〜図７は、実施の形態における液晶表示装置の製造方法を説明するための図である。図４は、マザーパネル１０Ｍを作製する工程を示している。図４において、（ａ）はマザーパネル１０Ｍの平面図を示しており、（ｂ）は、（ａ）のＩＶＢ−ＩＶＢ線におけるマザーパネル１０Ｍの断面図を示している。図５は、マザーパネル１０Ｍを切断する工程を示している。図６は、マザーパネル１０Ｍを切断することにより得られた２つの液晶パネル１０の一方を反転させる工程を示している。図７は、２つの液晶パネル１０のそれぞれに、フレキシブル配線基板２１及び２２と回路基板４０とを接続する工程を示している。
【００９４】
液晶表示装置の製造方法では、まず、図４の（ａ）及び（ｂ）に示すように、ＴＦＴが形成された第１基板であるＴＦＴ基板１１とＴＦＴ基板に対向し且つカラーフィルタが形成された第２基板であるＣＦ基板１２とを有するマザーパネル１０Ｍ（中板）を作製する。例えば、ＴＦＴ基板１１とＣＦ基板１２との間に液晶層を封止することでマザーパネル１０Ｍを作製する。
【００９５】
マザーパネル１０Ｍは、当該マザーパネル１０Ｍの第１の辺Ｐ１と第１の辺Ｐ１に対向する第２の辺Ｐ２との各々に設けられた接続端子部１００を有する。本実施の形態において、第１の辺Ｐ１及び第２の辺Ｐ２は長辺であり、また、接続端子部１００は複数である
。つまり、マザーパネル１０Ｍの対向する長辺の各々には、複数の接続端子部１００が設けられている。また、各長辺における複数の接続端子部１００には、リターン用接続端子部１０１が含まれている。なお、対向する短辺の各々には、接続端子部２００が設けられている。
【００９６】
次に、マザーパネル１０Ｍを切断することにより２つの液晶パネル１０を作製する。具体的には、マザーパネル１０Ｍの第１の辺Ｐ１と第２の辺Ｐ１との間の部分を切断することにより、マザーパネル１０Ｍを第１液晶パネル１０Ａと第２液晶パネル１０Ｂとの２つの液晶パネル１０に分割する。
【００９７】
本実施の形態では、図４に示すように、マザーパネル１０Ｍにおける第１の辺Ｐ１と第２の辺Ｐ１との間の切断領域１０ｃには、切り落とし用の内端材が設けられている。この切断領域１０ｃを切り落とすことによって、図５に示すように、マザーパネル１０Ｍから第１液晶パネル１０Ａと第２液晶パネル１０Ｂとの２つの液晶パネル１０を取り出している。
【００９８】
次に、図５の矢印に示されるように、２つの液晶パネル１０の一方を反転させる。例えば、第１液晶パネル１０Ａ及び第２液晶パネル１０Ｂのうち第２液晶パネル１０Ｂを１８０°回転させる。これにより、図６に示すように、第１液晶パネル１０Ａと第２液晶パネル１０Ｂとについて、接続端子部１００及び２００の位置が同じになる。
【００９９】
次に、図７に示すように、２つの液晶パネル１０の各々に、フレキシブル配線基板２１を介して回路基板４０を接続する。また、回路基板４０にタイミングコントローラ５０を電気的に接続する。
【０１００】
本実施の形態では、タイミングコントローラ５０を回路基板４０に実装しておき、その後、タイミングコントローラ５０が実装された回路基板４０を、フレキシブル配線基板２１を介して第１液晶パネル１０Ａ及び第２液晶パネル１０Ｂの各々に接続する。なお、このとき、フレキシブル配線基板２２も第１液晶パネル１０Ａ及び第２液晶パネル１０Ｂの各々に接続する。
【０１０１】
また、第１液晶パネル１０Ａ及び第２液晶パネル１０Ｂの各々には、同じ回路基板４０を接続するとともに、同じタイミングコントローラ５０を接続する。したがって、第１液晶パネル１０Ａ及び第２液晶パネル１０Ｂの各々のタイミングコントローラ５０は、制御回路５１及びメモリ５２とともに、第３接続端子１２３が第１接続端子１２１及び第２接続端子１２２のどちらに接続されているかを判別することで液晶パネル１０の種別を識別する識別回路５３を有する。
【０１０２】
以上、本実施の形態に係る液晶表示装置の製造方法によれば、液晶パネル１０の種別を自己識別することができる液晶表示装置を作製することができる。
【０１０３】
（変形例）
以上、本開示に係る液晶表示装置等について、実施の形態に基づいて説明したが、本開示は、上記実施の形態に限定されるものではない。
【０１０４】
例えば、上記実施の形態において、メモリ５２は、タイミングコントローラ５０に内蔵されていたが、これに限らない。具体的には、メモリ５２は、タイミングコントローラ５０と別の部品として、回路基板４０に実装されていてもよいし、回路基板４０とは別の回路基板に実装されていてもよいし、タイミングコントローラ５０以外の他の部品（ＩＣ等）に内蔵されていてもよい。
【０１０５】
また、上記実施の形態では、液晶パネル１０を識別するための所定の信号として、既存の駆動電圧ＶＣＣ及びグランド電圧ＶＧを用いたが、これに限らない。例えば、液晶パネル１０を識別するための所定の信号である第１信号及び第２信号は、互いに異なるもの（例えばＨｉｇｈ／Ｌｏｗ）であれば、液晶パネル１０を識別するためだけの専用の信号（電圧）であってもよい。この場合、専用の信号は、電源回路６０で生成されてもよいし、他の回路で生成されてもよい。
【０１０６】
また、上記実施の形態において、タイミングコントローラ５０は、回路基板４０に実装されていたが、回路基板４０に実装されていなくてもよい。例えば、タイミングコントローラ５０は、回路基板４０とは別の回路基板に実装されていてもよい。この場合、タイミングコントローラ５０が実装された回路基板と回路基板４０とはコネクタ線等によって接続される。
【０１０７】
また、上記実施の形態では、１つのマザーパネル１０Ｍから、接続端子部の位置が異なる２つの液晶パネル（第１液晶パネル１０Ａ、第２液晶パネル１０Ｂ）を取り出したが、これに限らない。例えば、１つのマザーパネル１０Ｍから、接続端子部の位置が同一の複数の液晶パネルを取り出してもよい。この場合、例えば、１つのマザーパネル１０Ｍから取り出される複数の液晶パネルはすべて第１液晶パネル１０Ａであり、他のマザーパネル１０Ｍから取り出される複数の液晶パネルはすべて第２液晶パネルＢであってもよい。この場合、第１液晶パネル１０Ａに用いられる液晶材料と、第２液晶パネル１０Ｂに用いられる液晶材料とが異なる等の事情により、第１液晶パネル１０Ａのガンマカーブと、第２液晶パネル１０Ｂとのガンマカーブが異なることになる。その場合であっても、メモリ５２の第１テーブル５２ａ及び第２テーブル５２ｂの各々に、第１液晶パネル１０Ａ及び第２液晶パネル１０Ｂの各々のガンマカーブに対応する補正データを記憶させておくことで、各液晶パネルごとに異なるメモリ及びタイミングコントローラを別途設ける必要がなくなる。
【０１０８】
また、上記実施の形態において、メモリ５２に記憶された補正データは、ガンマ補正を行うためのガンマ補正用データであったが、これに限らない。メモリ５２に記憶された補正データは、他の補正を行うための補正データであってもよい。
【０１０９】
また、本開示は、複数の液晶表示装置によって構成された、液晶パネルの識別システムとして実現することができる。例えば、上記の実施の形態では、第１液晶表示装置１Ａ及び第２液晶表示装置１Ｂの２種類の液晶表示装置によって構成された識別システムであり、第１液晶表示装置１Ａ及び第２液晶表示装置１Ｂは、いずれも、液晶パネル１０と、フレキシブル配線基板２１及び２２と、フレキシブル配線基板２１に接続された回路基板４０と、フレキシブル配線基板２１に実装されたソースドライバ３１と、ソースドライバ３１に制御信号を出力するタイミングコントローラ５０とを備える。
【０１１０】
また、本開示は、液晶表示装置が有する液晶パネル１０の種別を識別する液晶パネル１０の識別方法として実現することもできる。この場合、液晶表示装置は、回路基板４０から出力して液晶パネル１０を経由してタイミングコントローラ５０に入力される所定の信号によって液晶パネル１０の種別を識別する。
【０１１１】
その他、上記実施の形態及び変形例に対して当業者が思いつく各種変形を施して得られる形態や、本開示の趣旨を逸脱しない範囲で実施の形態及び変形例における構成要素及び機能を任意に組み合わせることで実現される形態も本開示に含まれる。
【符号の説明】
【０１１２】
１  液晶パネル識別システム
１Ａ  第１液晶表示装置
１Ｂ  第２液晶表示装置
１０  液晶パネル
１０ａ  画素領域
１０ｂ  額縁領域
１０ｃ  切断領域
１０Ａ  第１液晶パネル
１０Ｂ  第２液晶パネル
１０Ｍ  マザーパネル
１１  ＴＦＴ基板
１２  ＣＦ基板
２１、２２  フレキシブル配線基板
３１  ソースドライバ
３２  ゲートドライバ
４０  回路基板
５０  タイミングコントローラ
５０ａ  入力端子
５０ｂ  出力端子
５１  制御回路
５２  メモリ
５２ａ  第１テーブル
５２ｂ  第２テーブル
５３  識別回路
６０  電源回路
７０  画像処理回路
１００、２００  接続端子部
１０１  リターン用接続端子部
１０２  中継用接続端子部
１１０  ソース接続端子
１２１  第１接続端子
１２２  第２接続端子
１２３  第３接続端子
１２４  連結配線
【図１】
2020056838.tif 000003
【図２】
2020056838.tif 000004
【図３Ａ】
2020056838.tif 000005
【図３Ｂ】
2020056838.tif 000006
【図４】
2020056838.tif 000007
【図５】
2020056838.tif 000008
【図６】
2020056838.tif 000009
【図７】
2020056838.tif 000010